(57)【特許請求の範囲】
【請求項１】
レンズ担持フレームと、つる部材とを有し、前記つる部材は一端にて前記フレームに取り付けられ他端に頭部係合部を有する眼鏡にして、前記フレームと前記頭部係合部との間にて少なくとも一方の前記つる部材に沿って表示を備える表示担持手段を含み、前記表示担持手段は種々の表示を備える複数の領域を有し、前記表示担持手段は前記複数の表示のうちの一つを提示し得るよう前記フレームに対し相対的に回転可能であることを特徴とする眼鏡。
【請求項２】
前記表示担持手段は前記つる部材の一部と一体であることを特徴とする請求項１に記載の眼鏡。
【請求項３】
前記つる部材は前記フレームにヒンジ接続されたブロックに一端にて固定された棒体を含み、前記表示担持手段は前記棒体に回転可能に取り付けられた回転可能な部分であり、前記回転可能な部分は前記表示担持手段が回転しないよう前記表示担持手段を所定の向きに保持する手段を有していることを特徴とする請求項１に記載の眼鏡。
【請求項４】
前記表示は色であることを特徴とする請求項１に記載の眼鏡。
【請求項５】
前記表示は種々の材料であることを特徴とする請求項１に記載の眼鏡。
【請求項６】
前記表示は種々のグラフィック画像であることを特徴とする請求項１に記載の眼鏡。
【請求項７】
前記表示は種々の形状であることを特徴とする請求項１に記載の眼鏡。
【請求項８】
前記表示担持手段は複数個の相互に独立に回転可能な部分を含んでいることを特徴とする請求項１に記載の眼鏡。
【請求項９】
前記表示担持手段は前記フレームにヒンジ接続されたヒンジブロックに固定された棒体に回転可能に取り付けられており、各回転可能な部分は隣接する回転可能な部分に対し所定の向きにて前記回転可能な部分を保持する手段を有していることを特徴とする請求項８に記載の眼鏡。
【請求項１０】
前記つる部材と前記フレームとの間に設けられたヒンジを含み、前記ヒンジは前記フレームに取り付けられた第一のナックル手段と、リーフを有する第二のナックル手段とを含み、前記リーフはヘッドを有する中央ピンと該中央ピンより平行に隔置された外側ピンとを有し、前記つる部材は中央の中央ピン受け入れキャビティと上側及び下側の外側ピン受け入れキャビティと前記上側及び下側の外側ピン受け入れキャビティの表面を郭定する可撓性の壁とを有し、前記外側ピンはそれぞれリセスを有し、前記可撓性の壁は前記リセス内に嵌入するよう構成された内方へ延在するリブを有していることを特徴とする請求項１に記載の眼鏡。
【請求項１１】
レンズ担持フレームと、つる部材とを有し、前記つる部材は一端にて前記フレームに取り付けられ他端に頭部係合部を有する眼鏡にして、前記つる部材は複数個の長手方向に延在する面であって互いに他に対し或る角度をなし且つ前記フレームと前記頭部係合部との間にて種々の表示を備える複数個の長手方向に延在する面を有し、前記つる部材は前記表示を選択的に提示し得るよう前記フレームに回転可能に取り付けられていることを特徴とする眼鏡。
【請求項１２】
レンズ担持フレームと、つる部材とを有し、前記つる部材は一端にて前記フレームに取り付けられ他端に頭部係合部を有する眼鏡にして、前記つる部材は複数個の長手方向に延在する面であって互いに他に対し或る角度をなし且つ前記フレームと前記頭部係合部との間にて種々の表示を備える複数個の長手方向に延在する面を有し、前記つる部材は前記表示を選択的に提示し得るよう前記フレームに回転可能に取り付けられており、前記つる部材が不用意に回転しないよう前記つる部材を確実に拘束する手段が設けられていることを特徴とする眼鏡。
【請求項１３】
レンズ担持フレームと、前記フレームにヒンジ接続されたヒンジブロックと、一端にて前記ヒンジブロックに回転可能に取り付けられ他端に頭部係合部を有するつる部材とを有する眼鏡であって、前記ヒンジブロックは周りに肩部を有する狭い通路と、ヘッド部と少なくとも一部がねじ切りされた軸部とを有するボルトと、前記軸部の周りに取り付けられ前記ヘッド部と前記肩部との間に弾装されたらせんばねとを有し、前記軸部は前記つる部材に設けられた雌ねじ孔にねじ込まれ、これにより前記つる部材が前記ヒンジブロックに取り付けられており、前記眼鏡は更に前記つる部材及び前記ヒンジブロックに設けられ前記つる部材を前記ヒンジブロックに対し所定の向きに保持する補形手段と、前記フレームと前記頭部係合部との間にて前記つる部材の表面に設けられた表示とを有し、前記表示は前記ヒンジブロックに対する前記つる部材の向きに応じて種々の態様にて提示されるよう構成されていることを特徴とする眼鏡。
【請求項１４】
レンズ担持フレームと、前記フレームにヒンジ接続されたヒンジブロックと、一端にて前記ヒンジブロックに回転可能に取り付けられ他端に頭部係合部を有するつる部材とを有する眼鏡であって、前記つる部材及び前記ヒンジブロックの一方は周りに肩部を有する狭い通路と、ヘッド部と少なくとも一部がねじ切りされた軸部とを有する取り付け手段とを有し、前記ヘッド部は前記通路内に配置され、前記軸部は前記狭い部分を貫通して延在し且つ前記ヘッド部が取り付けられていない前記つる部材及び前記ヒンジブロックの一方に取り付けられており、これにより前記つる部材は前記ヒンジブロックに取り付けられており、前記ヘッド部は前記つる部材が前記ヒンジブロックより後退することを許し且つ前記つる部材が前記ヒンジブロックに対し相対的に回転することを許す距離前記肩部より隔置されており、前記眼鏡は更に前記つる部材及び前記ヒンジブロックに設けられ前記つる部材を前記ヒンジブロックに対し所定の向きに保持する補形手段と、前記フレームと前記頭部係合部との間にて前記つる部材の表面に設けられた表示とを有し、前記表示は前記ヒンジブロックに対する前記つる部材の向きに応じて種々の態様にて提示されるよう構成されていることを特徴とする眼鏡。
【発明の詳細な説明】
技術分野
本発明は交換可能なつる部材を有する眼鏡に係わる。
発明の背景
形状、色、デザインを変更可能なつる部材を有する眼鏡は既に提案されている。例えば米国特許第５，３２１，４４２号公報には、取り外し可能な耳掛け部材と、側部よりフレームのつる部材４にスナップ式に嵌め込んだりつる部材より引き抜いたりすることができるスリーブ８とを有する眼鏡が開示されている。また米国特許第４，８４８，８８９号公報には、レンズ保持フレームを中空に形成し、該フレームに可撓性の彩色された部材を挿入し得るよう構成することにより、つる部材ではなくフレームを装飾する手段が開示されている。上記米国特許第５，３２１，４４２号公報より、装飾は一つの外観しか提示することができない。一つ以上の装飾サイド部材が必要である場合には、使用されていないサイド部材はどこかに保管され或いは廃棄されなければならない。
発明の開示
本発明の一つの目的は、つる部材を単純に操作することにより外観を変更可能なつる部材を有する眼鏡を提供することである。本発明の他の目的は以下の説明及び添付の図面を参照することにより明らかとなる。
発明の概要
本発明によれば、概説すれば、レンズ担持フレームとつる部材とを有し、つる部材は一端にてフレームに取り付けられ他端に頭部係合部を有する眼鏡にして、少なくとも一方のつる部材はフレームに対し相対的に回転可能であり、つる部材は実質的につる部材と一体の表示を担持(carry indicia  表示を備えているの意、以下同様)している。好ましい実施形態に於いては、回転可能な部分は不用意に回転しないよう確実に保持される。
【図面の簡単な説明】
図１は本発明のつる部材を示す一つの眼鏡の斜視図である。
図２は本発明の眼鏡の一つの実施形態を一部破断し一部断面にて示す側面図である。
図３Ａ乃至図３Ｅは種々の回転防止手段を示している。
図４は本発明の第二の実施形態を一部破断し一部断面にて示す側面図である。
図５は本発明の第三の実施形態の側面図である。
図６は本発明の第四の実施形態の側面図である。
図７Ａ乃至図７Ｅは図２、図４、図５、図６、図８、図１２、図１４、図２１に示された実施形態に使用されるよう構成されたつる部材の断面図である。
図８は本発明の第五の実施形態の側面図である。
図９は本発明の第六の実施形態の部分断面図である。
図１０は図９の線１０−１０に沿う断面図である。
図１１はつる部材を回転させることが可能な位置にて図９及び図１０に示された部分を示す部分断面図である。
図１２は図９乃至図１１に示された実施形態による眼鏡の部分平面図である。
図１３は本発明の眼鏡の第七の実施形態のヒンジブロック及びつる部材を一部破断して示す部分側面図である。
図１４はレンズ保持フレームにヒンジ接続された図１３のヒンジブロック及びつる部材の部分平面図である。
図１５は図１３の線１５−１５に沿う断面図である。
図１６はヒンジブロックに隣接する図１３のつる部材の端部を一部破断して示す部分図である。
図１７は図１３乃至図１６のつる部材の端面図である。
図１８は図１３のヒンジブロックの正面図である。
図１９は図１８の部分的に組立てられたヒンジブロックの側面図である。
図２０は本発明の眼鏡の第八の実施形態のヒンジブロックを示す正面図である。
図２１は図２０のヒンジブロックを一部破断して示す部分平面図である。
発明を実施するための最良の形態
図１乃至図４に於いて、符号１はサングラス、安全眼鏡、通常の矯正レンズ型眼鏡、又はこれらの任意の組合せであってよい一つの眼鏡を示している。眼鏡１はレンズ２が取り付けられたフレーム３と、つる部材４と、耳掛け部材８とを有している。図１乃至図８に示された実施形態に於いては、つる部材４はヒンジブロック６を含み、ヒンジブロック６はその一端にて従来の要領によりフレーム３にヒンジ接続されており、その一例が図１に図示されている。ヒンジブロックの一つの面が従来の態様にてフレーム３に当接しており、これによりつる部材がフレームに対し相対的に外方へ回転することが制限されるようになっている。実質的にフレーム当接面に平行なヒンジブロックの一つの面がつる部材の回転可能な部分の一つの面に面している。
本発明の一つの例示的実施形態を示す図２に於いて、つる部材の回転可能な部分７に面するヒンジブロック６の表面にはフェースプレート１１が配置されており、フェースプレート１１の外面には窪み１２が設けられている。フェースプレート１１はその中央部を貫通して延在する通路を有し、該通路にはピン１３が延在している。ピン１３の外端１４はヒンジブロック６に固定されている。ピン１３の内端はヘッド１８を担持している。ピンのヘッドは圧縮コイルばね１９と共につる部材の回転可能な部分７の端部に形成されたソケット１０内に配置されおり、圧縮コイルばね１９はヘッド１８の下面と部分７に固定されたつる部材プレート１５の内面との間に弾装されている。つる部材プレート１５は大きさ及び位置の点で窪み１２に対する補形をなす突起１６を有している。圧縮コイルばね１９の長さは、つる部材４の回転可能な部分７が図２に示されている如く後退可能な長さであって、突起１６が窪み１２に着座して回転可能な部分７が不用意に回転することを阻止する位置へ回転可能な部分７をばね１９により付勢し得る長さである。
回転可能な部分７が１８０°に亘り回転される場合には、外側に露呈されたつる部材４の側面は装用者のこめかみに隣接する。この実施形態於いては、耳掛け部材８も回転される。従って回転可能な部分７の何れの側面が露呈されるかに拘わらず、耳掛け部材８を図２に示された位置に設定し得ることが必要である。かかる目的で、回転可能な部分７のフレームとは反対の端部にはキャビティ２５が設けられると共に、耳掛け部材８にはスナップピン２３が設けられており、スナップピン２３は手動式に選択的にキャビティ２５内に押し込まれ、キャビティより引き抜かれる。
図４に示された実施形態に於いては、眼鏡４１はフレーム４３とつる部材４４と耳掛け部材５８とを有している。ヒンジブロック４６がフレーム４３にヒンジ接続されている。この実施形態に於いては、棒体５３がその一端にてブロック４６に固定されており、棒体５３の他端にはヘッド部６１が設けられている。棒体５３には回転可能な部分４７が回転可能に取り付けられている。耳掛け部材５８の端部には正方形のソケット、即ちほぞ孔５９が設けられており、回転可能な部分４７は耳掛け部材に隣接する端部にソケット５９を郭定する内壁面に対し補形をなす大きさ及び形状の正方形のほぞ５７を有し、ほぞ５７はソケット５９内に嵌入するようになっている。回転可能な部分４７の他端にはほぞ５６が設けられており、ほぞ５６がヒンジブロック４６に設けられたソケット、即ちほぞ孔５０に対し補形をなす形状及び大きさに設定されている。ばね６５がソケット５９内にて棒体５３に取り付けられており、ヘッド部６１の下面と環状ストッパ６３の内面との間に弾装されており、ストッパ６３はソケット５９内に締まり嵌め又は他の手段にて固定的に取り付けられている。
この第二の実施形態に於いては、図４より解る如く、回転可能な部分４７を回転させる必要がある場合には、ほぞ５６及び５７がそれぞれほぞ孔５０及び５９より抜け出して回転可能な部分４７を棒体５３の周りに回転させることができるようになるまで、耳掛け部材５８がばね６５のばね力に抗して手動的にフレーム４３より引き離される。耳掛け部材５８が解放されると、ばね６５が耳掛け部材を回転可能な部分４７と係合する状態に付勢し、これにより回転可能な部分４７がヒンジブロック４６と係合した状態になり、ほぞがほぞ孔内に嵌入して耳掛け部材が再度後退せしめられるまで回転可能な部分４７及び耳掛け部材５８がそれ以上回転することが阻止される向きに回転可能な部分４７が位置決めされる。
図３Ａ〜図３Ｅには、僅かな修正を加えるだけで図２又は図４の実施形態に使用可能な種々の形態のほぞ孔及びほぞの構造が図示されている。図１は同一の目的を達成するために突起及び溝の構造が使用される他の一つの形態を示しており、図１に示された眼鏡の場合には、突起はヒンジブロック６に設けられ、溝はつる部材４の回転可能な部分に設けられる。図３Ａ〜図３Ｅに示されたロック装置によれば、種々の回転角度位置が可能であり、図３Ａの矩形構造によれば互いに１８０°隔置された二つの回転位置が可能であり、図３Ｂの三角形の構造によれば互いに１２０°隔置された三つの回転位置が可能であり、図３Ｃの正方形のほぞ孔及びほぞ構造によれば互いに９０°隔置された四つの角度位置が可能であり、図３Ｄの矩形のほぞ孔及びほぞ構造によれば二つの回転位置が可能であり、図３Ｅの十字形のほぞ孔及びほぞ構造によれば四つの回転位置が可能である。図１、図３Ａ、図３Ｄに示された構造のみが図１及び図２に示された二つの側面を有する回転可能な部分に使用可能であり、回転可能な部分４７の断面形状に応じて上述の全ての構造を図４に示された実施形態の回転可能な部分４７に使用することができる。かくして回転可能な部分４７が図７Ｂに示されている如き形状を有する場合には、図３Ｂに示されたほぞ孔及びほぞが可能であり、図７Ｃ又は図７Ｅに示された構造の場合には図３Ｃ及び図３Ｅに示されたほぞ孔及びほぞが可能である。尚これらの構造は例示に過ぎない。
図５に於いて、フレーム７３を有する眼鏡７１はヒンジブロック７６と回転可能な部分７７と耳掛け部材７８とを含むつる部材７４を有している。図５に示された実施形態は、回転可能な部分７７は図７Ａ乃至図７Ｅに示された断面形状の何れであってもよく、ほぞ孔及びほぞの構造が特定の断面形状に適している点を除き、図２に示された実施形態と同様である。固定及び解放機構は図１及び図２に示された実施形態の機構の何れであってもよい。
図６に於いて、眼鏡８１はフレーム８３とつる部材８４とを有し、つる部材８４はヒンジブロック８６及び回転可能な部分８７を含んでいる。この実施形態は図４に示された実施形態に対応しており、棒体９３が幾分か解図的に図示されている。
図８に於いて、眼鏡１０１はフレーム１０３とヒンジブロック１０６と耳掛け部材１０８と棒体１１３とを有している。棒体１１３には一連の相互に独立に回転可能な部分１１７、１１８、１１９、１２０、１２１、１２２が取り付けられており、これらの部分は隣接する回転可能な部分に対し補形をなす形状及び大きさの回転防止構造を両端に有し、これにより複数の面の組合せを提示し得るようになっている。
本発明の眼鏡の更に他の一つの実施形態を示す図９乃至図１２に於いて、符号１２１はこの実施形態の眼鏡を示しており、眼鏡１２１はフレーム１２３及び回転可能なつる部材１２４を有している。つる部材はヒンジ１２５によりフレームに取り付けられており、ヒンジ１２５の中央ナックル１３８はフレームに埋設された部分を有している。上側ナックル１２６及び下側ナックル１２７がリーフ１２９と一体に形成されている。リーフ１２９はティーヘッド１３１を有する中央ピン１３０を有している。上側ピン１３３が中央ピン１３０の上方に隔置されており、下側ピン１３４が中央ピン１３０の下方に隔置されている。上側ピン及び下側ピンの外面にはリセス１３６が設けられている。ピン１３３及び１３４の自由端は符号１３７にて示されている如く面取りされている。
回転可能なつる部材１２４のヒンジ端部には中央キャビティ、即ち盲孔１３９が設けられており、キャビティ１３９には半径方向内方へ延在するリム１４１が設けられており、リム１４１はリーフ１２９により郭定される平面に垂直な横断溝１４２により径方向に間断されている。キャビティ１３９の外側には上側ピン受け入れ溝１４４及び下側ピン受け入れ溝１４５が設けられており、これらの溝はつる部材が適正な向きに配置されるとそれぞれピン１３３及び１３４を受け入れる位置に設定されている。特に溝１４４及び１４５はそれぞれ上側可撓性壁１４７及び下側可撓性壁１４９により部分的に郭定されている。可撓性壁１４７及び１４９はその自由端に半径方向内方へ延在するリブ１５０を有し、リブ１５０はリセス１３６内にスナップ式に嵌入する大きさ及び位置に設定されている。
中央ピン１３０をその通常の位置に対し垂直な位置へ回転させ、溝１３２を経てティーヘッド１３１を中央キャビティ１３９内に嵌め込むことにより、つる部材１２４が中央ピン１３０に取り付けられる。次いでつる部材１２４が図９乃至図１２に示された適正な位置に向けられ、フレーム１２３へ向けて押し込まれる。リブ１５０は面取り１３７によって外方へ駆動され、リブがリセス１３６内に入り込むまでリブはピン１３３及び１３４の平坦面上を移動する。つる部材を１８０°に亘り回転させるためには、リブ１５０がリセス１３６より出てつる部材が図１１に示された位置へもたらされ、これによりつる部材が回転可能であると共に所定の位置に押し戻され得るようになるまで、つる部材を引張るだけでよい。上述の大抵の他の眼鏡の場合と同様、この実施形態の眼鏡の構造が三つ又は四つの回転位置が可能であるよう修正されてよい。
つる部材の図には示されていない耳掛け部材は例えば図２又は図４に示されている如く適正な向きに設定されるよう形成されてよい。
本発明の更に他の一つの実施形態を示す図１３乃至図１９に於いて、眼鏡１６１は上述の実施形態に於けるヒンジと同様のものであってよいヒンジ１６２を有している。この実施形態に於けるヒンジブロック１６４は第一のキャビティ１６６及び第二のキャビティ１７０の二つのキャビティを有している。第一のキャビティはヒンジに隣接する端壁１６７と側壁１６８と中間壁１６９と上壁１７１と下壁１７２とプレート１９０とにより郭定されている。第二のキャビティ１７０は中間壁１６９と側壁１６８と上壁１７１と下壁１７２とプレート１９０とにより郭定されている。リブ１７３が上壁１７１及び下壁１７２の自由端より該自由端に沿って延在し、第二のキャビティの狭い開口を郭定している。中間壁は軸通路１７４を有し、該軸通路にはつる部材１７５の中央軸１８４が延在している。この場合軸１８４はヘッド部１８５とねじ軸部とを有するボルトの形態をなし、ねじ軸部は図１３に示されている如くつる部材１７５に設けられた雌ねじ孔にねじ込まれている。
この実施形態に於けるつる部材１７５は四つの側面を有している。つる部材１７５はネック１７９及び肩部１８０を有するヘッド端部１７７を有している。図１３に示されている如く中央軸１８４より隔置され且つこれを囲繞する四つの可撓性のフィンガ１７８を郭定するよう、ヘッド端部１７７には溝が設けられている。ネック１７９は上側溝１８１と下側溝１８２と側部溝１８３とを郭定している。これらの溝はリブ１７３に対し補形をなす形状及び大きさに設定されている。ヘッド端部１７７は正面図で見て正方形をなし、第二のキャビティはヘッド端部１７７に対し補形をなす形状及び大きさに設定されている。
軸１８４の周りにはヘッド部１８５と中間壁１６９の表面との間に弾装されたばね１８７が設けられている。
この実施形態のヒンジブロック１６４に対しつる部材１７５を組み付ける際には、ヒンジブロックは図１３に示されている如く形成される。つる部材は図示の如く開いた側より組み付けられ、プレート１９０が端壁、上壁、下壁、中間壁の表面に接合される。
フィンガ１７８は撓むことができるので、ヘッド端部１７７がキャビティの開口より出るまでばね１８７のばね力に抗してつる部材１７５を第二のキャビティ１７０より引き抜くことができ、次いでつる部材を９０°毎に回転させることができ、キャビティ１７０内にスナップ式に押し戻すことができる。
つる部材１７５及びキャビティの１７０の形態を変更することにより、二つの側面の表示の提示を行うための細い矩形、三つの側面の表示の提示を行うための三角形、又は他の多角形の如き他の形状が採用されてもよい。またばね１８７が省略されてもよい。
本発明の更に他の一つの実施形態を示す図２０及び図２１に於いて、眼鏡２０１はレンズ保持フレーム２０２と、ヒンジ２０５と、リーフに接続されたヒンジブロック２０４とを有している。ヒンジブロック２０４はその一端より他端まで延在する通路２０７を有している。通路２０７はつる部材２２５が図２１に示された位置にあるときにフレーム２０２に隣接するブロックの端部に開口端２０８を有し、他端に設けられた狭い開口２０９は環状の肩部２１０を有している。ヒンジブロックの外面２１１には開孔２０９の周りに対称に配列された窪み２１２を有している。図示の実施形態に於いては、ねじ孔２２４を有するつる部材２２５の外面２１１に面する面には、窪み２１２に対し補形をなす形状及び大きさに設定された一連の突起２１３が設けられている。ボルト２２０がヘッド部２２１と少なくとも下側３分の１の領域に亘りねじが形成された軸部２２２とを有し、ボルト２２０の周りにはヘッド部２２１と肩部２１０との間に弾装された螺旋ばね２２７が取り付けられており、軸部２２２は所望の圧縮度合になるまでねじ孔２２４内にねじ込まれている。例えばつる部材２２５の回転を阻止する必要がある場合には、ばねが肩部２１０にきつく押し付けられるまで軸部がねじ込まれる。一般にばね２２７の圧縮量はつる部材の不用意な回転を防止するに十分な圧縮量である。必要ならばつる部材の多数の回転角度位置を可能にする任意の数の窪み２１２及び一つ又はそれ以上の突起２１３が設けられてよい。図示の実施形態によれば、つる部材２２５は断面正方形をなし、突起及び窪みの数は四つである。この実施形態は最も単純な構造のものであり、容易に製造可能である。
以上の説明に照らし、本発明の範囲内にて本発明の眼鏡構造に種々の変更が可能であることは当業者にとって明らかであろう。全ての実施形態に於いて、つる部材の回転可能な部分は表示担持部材である。表示は二つ又はそれ以上の表面に個別に設けられたプラスチック、金属又は木材の如き種々の材料、種々の色、種々の形状、種々のグラフィック画像、種々の写真、種々のロゴ、種々の商標、種々の漫画、他の任意の装飾図柄であってよい。特に図２、図４、図２１に示された実施形態の場合には、つる部材は長い距離に亘り後退可能である必要はなく、図２に示された実施形態の場合には、ヒンジブロック又は回転可能なつる部材が設けられた一つ又はそれ以上のばね付勢された係止部材が使用されてよく、図４に示された実施形態の場合にはヒンジブロック又はフレーム又はこれらの両方又は回転可能なつる部材に設けられた一つ又はそれ以上のばね付勢された係止部材が使用されてよく、何れの場合にも補形をなす窪みは他の部材に設けられる。リーフスプリングや回転可能なつる部材又はヒンジブロックの一部として形成された弾性を有する突起の如き他の係止手段が使用されてもよい。図示の実施形態について図示されたフック形の耳掛け部材ではなく、つる部材の長手方向軸線に対し対称な頭部係合ディスク等が使用される場合には、つる部材に対する頭部係合部材の相対回転のための手段は不要である。尚上述の修正例は例示に過ぎない。
【図１】
0004122421.tif 000002
【図２】
0004122421.tif 000003
【図３Ａ】
0004122421.tif 000004
【図３Ｂ】
0004122421.tif 000005
【図３Ｃ】
0004122421.tif 000006
【図３Ｄ】
0004122421.tif 000007
【図３Ｅ】
0004122421.tif 000008
【図４】
0004122421.tif 000009
【図５】
0004122421.tif 000010
【図６】
0004122421.tif 000011
【図７Ａ】
0004122421.tif 000012
【図７Ｂ】
0004122421.tif 000013
【図７Ｃ】
0004122421.tif 000014
【図７Ｄ】
0004122421.tif 000015
【図７Ｅ】
0004122421.tif 000016
【図８】
0004122421.tif 000017
【図９】
0004122421.tif 000018
【図１０】
0004122421.tif 000019
【図１１】
0004122421.tif 000020
【図１２】
0004122421.tif 000021
【図１３】
0004122421.tif 000022
【図１４】
0004122421.tif 000023
【図１５】
0004122421.tif 000024
【図１６】
0004122421.tif 000025
【図１７】
0004122421.tif 000026
【図１８】
0004122421.tif 000027
【図１９】
0004122421.tif 000028
【図２０】
0004122421.tif 000029
【図２１】
0004122421.tif 000030